(57)【要約】【課題】膜有効利用率及び濁質排出性の低下を抑制する。【解決手段】中空糸膜モジュール１０は、原水が外側から内側に向かって透過する複数の中空糸膜１２を有し、各中空糸膜１２の一端部が封止剤３８により封止された中空糸膜束１４と、前記複数の中空糸膜１２の他端部が開口した状態で前記他端部を固定する固定部材１８と、を備える。中空糸膜束１４は、前記中空糸膜１２の前記一端部が１本ずつ固定されない片端フリータイプである。複数の中空糸膜１２のそれぞれには、該中空糸膜１２の外面から突出した形状の突出部４０が設けられており、前記突出部４０は、隣の中空糸膜１２に設けられた突出部４０と接触する位置に配置されている。【選択図】図１
2020018979.tif 000002
【特許請求の範囲】
【請求項１】
原水が外側から内側に向かって透過する複数の中空糸膜を有し、各中空糸膜の一端部が封止剤により封止された中空糸膜束と、
前記複数の中空糸膜の他端部が開口した状態で前記他端部を固定する固定部材と、
を備え、
前記中空糸膜束は、前記中空糸膜の前記一端部が固定されない片端フリータイプであり、
前記複数の中空糸膜のそれぞれには、該中空糸膜の外面から突出した形状の突出部が設けられており、
前記突出部は、隣の中空糸膜に設けられた突出部と接触する位置に配置されている中空糸膜モジュール。
【請求項２】
前記突出部は、前記封止剤によって封止された前記一端部に設けられている請求項１に記載の中空糸膜モジュール。
【請求項３】
前記複数の中空糸膜の有効長の誤差は、１０％未満である請求項２に記載の中空糸膜モジュール。
【請求項４】
前記中空糸膜の有効長が０．３ｍ以上２．５ｍ以下である請求項１から３の何れか１項に記載の中空糸膜モジュール。
【請求項５】
前記突出部は、角のない形状を有する請求項１から４の何れか１項に記載の中空糸膜モジュール。
【請求項６】
前記中空糸膜束が収容されるハウジングを備えている請求項１から５の何れか１項に記載の中空糸膜モジュール。
【請求項７】
前記ハウジングの内部空間での前記中空糸膜束の充填率が２０％以上６５％未満である請求項６に記載の中空糸膜モジュール。
【請求項８】
前記突出部の幅が前記中空糸膜の外径の１倍よりも大きく且つ３倍未満である請求項１から７の何れか１項に記載の中空糸膜モジュール。
【請求項９】
前記中空糸膜に外側から圧力がかけられる外圧濾過方式である、請求項６に記載の中空糸膜モジュール。
【発明の詳細な説明】
【技術分野】
【０００１】
本発明は、中空糸膜モジュールに関するものである。
【背景技術】
【０００２】
従来、精密濾過や限外濾過などの水処理分野において、複数の中空糸膜が束状に固定された中空糸膜モジュールを用いた分離技術が知られている。中空糸膜モジュールを用いた分離技術は、地下水や伏流水など、比較的清澄な原水が対象とされることが多い。しかしながら、近年は、原水の適用範囲が広がっており、河川表流水、工業排水回収など、比較的、原水水質の変動や、原水の濁質成分が多い原水に対して適用される事例が増加している。よって、中空糸膜モジュールには、それらに対応できる高い濁質耐性が求められている。
【０００３】
通常、中空糸膜束の片端部は、処理水を得るために開口しており、もう一方の端部は、何かしらの方法で封止されている。封止の方法として、Ｕ字中空糸膜を折り曲げる方法や、熱による溶着など様々な方法が知られている。近年は、中空糸膜を入れるハウジングと呼ばれる容器などに封止部分を樹脂でまとめて接着固定された両端固定タイプの中空糸膜モジュールが主流となってきている（特許文献１）。しかし、この構造では、濁質濃度の高い原水をろ過した場合に、十分な排出能力を得られない。このため、濾過の進行に伴い濁質成分が蓄積し、膜の閉塞に繋がるという問題があり、高濁質濃度の原水に対して、対応できないという問題点がある。
【０００４】
この問題を解決するために、中空糸膜の一方端が開口した、片端フリータイプの中空糸膜モジュールが知られている（特許文献２、特許文献３）。特許文献２では、１本１本の中空糸膜端部がエポキシなどの接着樹脂によって、バラバラになるように封止されている。この構成では、濁質の排出性を高めることができると記載されている。併せて、中空糸膜に樹脂が浸透されることにより高い耐久性を有する封止部として使用できると記載されている。一方、特許文献３には、より制約が少なく、膜外への染み出しを抑制することができ、装置コストの抑制ができるフリー部の製造方法が開示されている。
【先行技術文献】
【特許文献】
【０００５】
【特許文献１】特開２００６−２４７６４９号公報
【特許文献２】特開平５−１５７４６号公報
【特許文献２】特開２０１７−０７０９１４号公報
【発明の概要】
【発明が解決しようとする課題】
【０００６】
しかしながら、特許文献２及び３に開示された中空糸膜モジュールでは、片端フリーの中空糸膜束が用いられるため、濾過中に中空糸膜同士が接触した状態に維持されてしまうことが起こり得る。この場合、膜有効利用率が低下するだけでなく、濁質排出性も低下してしまうという問題がある。
【０００７】
そこで、本発明は、前記従来技術を鑑みてなされたものであり、その目的とするところは、膜有効利用率及び濁質排出性の低下を抑制することができる中空糸膜モジュールを提供することにある。
【課題を解決するための手段】
【０００８】
前記の目的を達成するため、本発明は、原水が外側から内側に向かって透過する複数の中空糸膜を有し、各中空糸膜の一端部が封止剤により封止された中空糸膜束と、前記複数の中空糸膜の他端部が開口した状態で前記他端部を固定する固定部材と、を備える。前記中空糸膜束は、前記中空糸膜の前記一端部が固定されない片端フリータイプであり、前記複数の中空糸膜のそれぞれには、該中空糸膜の外面から突出した形状の突出部が設けられており、前記突出部は、隣の中空糸膜に設けられた突出部と接触する位置に配置されている。
【０００９】
本発明による中空糸膜モジュールでは、突出部同士が互いに接触することにより、中空糸膜同士が接触した状態に維持されてしまうことを抑制することができる。この結果、原水が中空糸膜を外側から内側に向かって透過するときの中空糸膜の通水抵抗が上がってしまうことを防止でき、膜有効利用率が低下することを防止することができる。
【００１０】
なお、突出部は、隣の突出部と常時接触していてもよい。あるいは、突出部は、隣の突出部と接触しない状態で配置される一方で、中空糸膜が撓むこと等によって隣の突出部に接触するように配置されていてもよい。
【００１１】
前記中空糸膜モジュールにおいて、前記突出部は、前記封止剤によって封止された前記一端部に設けられていてもよい。この態様では、封止剤で中空糸膜の一端部を封止するのと同時に突出部を形成することが可能となる。
【００１２】
前記複数の中空糸膜の有効長の誤差は、１０％未満であってもよい。この態様では、中空糸膜のそれぞれの有効長がばらつくことによって、隣り合う突出部同士の接触が阻害されるという事態を回避することができる。
【００１３】
前記中空糸膜の有効長は、０．３ｍ以上２．５ｍ以下であってもよい。
【００１４】
前記突出部は、角のない形状を有していてもよい。この態様では、突出部が中空糸膜に接触するようなことがあったとしても、中空糸膜を傷付けることを防止することができる。
【００１５】
前記中空糸膜モジュールは、前記中空糸膜束が収容されるハウジングを備えていてもよい。すなわち、中空糸膜モジュールは、浸漬型の中空糸膜モジュールでも良いが、ハウジングを備えていて、その中に中空糸膜束が収納されてモジュール化された構成でもよい。
【００１６】
前記ハウジングの内部空間の容積に対する前記中空糸膜束の充填率は、２０％以上６５％未満であってもよい。この態様では、ハウジング内部の空間を中空糸膜束で適度に満たしつつ、中空糸膜同士が接触した状態に維持されてしまうことを効果的に抑制することができる。すなわち、充填率が２０％未満になれば、中空糸膜同士の接触する割合が低減されるものの中空糸膜自体の膜面積が減るため、濾過性能が低下してしまう。一方、充填率が６５％以上になると、突出部の存在如何によらず中空糸膜の接触箇所が増大するため、突出部を設けることによる効果を得難くなる。
【００１７】
前記突出部の幅は、前記中空糸膜の外径の１倍よりも大きく且つ３倍未満であってもよい。この態様では、突出部による効果を有効に発揮させることができるとともに、中空糸膜同士の間隙が広くなり過ぎることを抑制して、中空糸膜の物理洗浄時に中空糸膜が曲がる、折れる等の問題が生ずることを防止することができる。
【発明の効果】
【００１８】
本発明によれば、膜有効利用率及び濁質排出性の低下を抑制することができる。
【図面の簡単な説明】
【００１９】
【図１】実施形態に係る中空糸膜モジュールの全体構成を示す図である。
【図２】前記中空糸膜モジュールに設けられた中空糸膜及び突出部を概略的に示す図である。
【図３】前記突出部の変形例を説明するための図である。
【図４】中空糸膜同士が接触した状態で維持されているときの様子を示す図である。
【図５】前記突出部の変形例を説明するための図である。
【図６】前記突出部の変形例を説明するための図である。
【図７】前記突出部の変形例を説明するための図である。
【図８】その他の実施形態に係る中空糸膜モジュールの全体構成を示す図である。
【発明を実施するための形態】
【００２０】
以下、本発明を実施するための形態について図面を参照しながら詳細に説明する。
【００２１】
（全体構成）
図１に示すように、本実施形態に係る中空糸膜モジュール１０は、複数の中空糸膜１２を有する中空糸膜束１４と、中空糸膜束１４が収容されるハウジング１６と、ハウジング１６内に固定された固定部材１８と、を有する。
【００２２】
ハウジング１６は、上下方向に長い縦長の内部空間を有する密閉構造を有する。ハウジング１６内の固定部材１８は、ハウジング１６の内部空間を中空糸膜束１４が収容される収容空間Ｓ１と、収容空間Ｓ１の上側に位置する上部空間Ｓ２とに仕切っている。
【００２３】
固定部材１８には、中空糸膜１２の上端部が固定されている。中空糸膜１２の上端部は、開口しており、この開口は、固定部材１８に形成された貫通孔１８ａを通して上部空間Ｓ２に連通している。一方、中空糸膜１２の下端部は、どこにも固定されずフリーな状態となっている。
【００２４】
ハウジング１６の下端部には、原水を供給するポンプ２１が接続された原水配管２２と、圧縮空気を供給するコンプレッサ２５が接続された空気配管２６とが接続されていている。原水配管２２と空気配管２６とは互いに接続されて１つの配管となって、ハウジング１６の下端部に接続されている。なお、原水配管２２と空気配管２６は、別個にハウジング１６に接続されていてもよい。
【００２５】
原水配管２２に設けられた開閉弁２２ａを開放することにより、原水が収容空間Ｓ１に導入される。空気配管２６に設けられた開閉弁２６ａを開放することにより、バブリング洗浄用の圧縮空気が収容空間Ｓ１に導入される。中空糸膜モジュール１０では、収容空間Ｓ１内に導入された原水が中空糸膜１２の外側から内側に透過することによって原水が濾過される。すなわち、本実施形態のモジュール１０は、中空糸膜１２に外側から圧力がかけられる外圧濾過式の中間糸膜モジュールとして構成されている。なお、本実施形態では、中空糸膜１２の外側を積極的に加圧する構成が採用されているがこれに限られない。例えば、中空糸膜１２の内側が吸引されて結果として外側の圧力の方が内側の圧力よりも高くなって、原水が中空糸膜１２を外側から内側に透過する構成が採用されてもよい。
【００２６】
ハウジング１６には、収容空間Ｓ１に連通するように、原水の排出部２８が設けられている。この排出部２８には、原水を原水供給先に戻す戻し管２９が接続される。またハウジング１６には、上部空間Ｓ２に連通するように、濾過水の排出部３１が設けられている。この排出部３１には、濾過水の送出管３２が接続される。濾過水の送出管３２には、逆圧洗浄を行うための逆圧管３４が接続されていて、逆圧管３４に接続されたコンプレッサ３５から上部空間Ｓ２内に圧縮空気を送り込むことができる。
【００２７】
（中空糸膜束）
中空糸膜束１４は、複数の中空糸膜１２を有しており、これら複数の中空糸膜１２は束状に配置されている。中空糸膜束１４は、外径が、５〜２００ｃｍの範囲で複数の中空糸膜１２が配設されることが好ましく、５〜１００ｃｍであることがより好ましく、５〜５０ｃｍであることがさらに好ましい。
【００２８】
ハウジング１６内での中空糸膜束１４の充填率は、２０％以上、６５％未満であることが好ましく、さらに好ましくは、２０％以上、６０％未満であり、最も好ましくは、２０％以上、５５％未満である。充填率が２０％未満の場合には、ハウジング１６内部で、十分な空間が形成されるため、中空糸膜１２同士の接触する割合が低減されるものの中空糸膜束１４の膜面積が減るため、濾過性能が低下してしまう。一方、充填率が６５％以上の場合には、ハウジング１６内部において、中空糸膜１２間の隙間が小さくなり、後述の突出部４０を設けることによる効果を得難くなる。なお、充填率は、（中空糸膜１２の断面積×中空糸膜１２の本数）をハウジング１６の内側空間の断面積で除して、これに１００をかけて得られたものである。ハウジング１６の内側空間の断面積は、（ハウジング１６の内径の１／２）×（ハウジング１６の内径の１／２）×３．１４によって算出される。
【００２９】
（中空糸膜）
中空糸膜１２の素材等は、特に限定されないが、片端フリー構造の場合には、中空糸膜１２が物理洗浄時に揺動するために、一定の柔軟性を有していることが好ましい。具体的には、中空糸膜１２の伸度が、２０％以上、５００％未満であることが好ましい。さらに好ましくは、２０％以上、４００％未満、最も好ましくは、２０％以上、３００％未満である。中空糸膜１２の伸度がこれ以上小さい場合には、物理洗浄時の揺動中に十分な強度を維持することができず、中空糸膜１２が破断してしまうなどの問題が発生する場合がある。一方で、５００％以上の場合には、中空糸膜１２が柔らかすぎてしまい、後述の突出部４０による中空糸膜１２の接触防止効果を発揮しにくくなってしまう。
【００３０】
中空糸膜１２の有効長は、０．３ｍ以上、２．５ｍ以下であることが好ましく、さらに好ましくは、０．３ｍ以上、２．０ｍ以下であり、最も好ましくは、０．３ｍ以上、１．８ｍ以下である。有効長が短すぎる場合には、中空糸膜１２に間隙をあけなくても、濁質を十分に排出することが可能となる。一方で、有効長が長すぎる場合には、後述する突出部４０の効果を有効に発揮させることができなくなる虞がある。
【００３１】
中空糸膜１２の外径は、特に限定されないが、０．５ｍｍ以上、５．０ｍｍ未満であることが好ましく、さらに好ましくは、０．５ｍｍ以上、４．０ｍｍ未満であり、最も好ましくは、０．５ｍｍ以上、３．０ｍｍ未満である。
【００３２】
（突出部）
図２に示すように、中空糸膜１２の一端部は、１本１本バラバラに封止剤３８によって封止されている。封止剤３８は、エポキシ樹脂、ウレタン樹脂等、２液混合式の樹脂を用いたものである。封止剤３８を構成する樹脂が中空糸膜１２の外側まではみ出すことにより、中空糸膜１２の一端部には、中空糸膜１２の外面から突出した形状の突出部４０が設けられている。すなわち、突出部４０は、管状の中空糸膜１２の端部を塞ぐ封止剤３８と一体的に設けられている。
【００３３】
突出部４０の幅は、中空糸膜１２の幅よりも大きくなっている。具体的には、中空糸膜１２の外径（ＯＤ）に対する突出部４０の最大幅（Ｄｍａｘ）の比は、１倍よりも大きく、３倍未満であることが好ましく、さらに好ましくは、１倍よりも大きく、２．５倍未満であり、最も好ましくは、１倍よりも大きく、２倍未満である。比Ｄｍａｘ／ＯＤが３倍以上の場合には、中空糸膜束１４の一端と、他端で幅が違いすぎてしまい、物理洗浄時に中空糸膜１２が曲がる、折れるなどの問題が発生する場合があり得る。
【００３４】
中空糸膜１２の長さ方向における突出部４０の長さ（Ｌ）は、０．０５ｃｍ以上、１５ｃｍ以下であることが好ましく、さらに好ましくは、０．１ｃｍ以上、１０ｃｍ以下であり、最も好ましくは、０．１ｃｍ以上、５ｃｍ以下である。突出部４０が長すぎる場合には、中空糸膜１２の有効長が短くなるため、処理流量が低下してしまう。一方で、突出部４０が短すぎる場合には、突出部４０を構成する樹脂封止剤３８のアンカー効果が低下し、耐久性が低下してしまう。
【００３５】
突出部４０は、各中空糸膜１２に設けられている。これら突出部４０は、図３に示すように、隣に位置する中空糸膜１２に設けられた突出部４０と接触する位置に配置されている。各突出部４０が各中空糸膜１２において自由端となっている端部に設けられているため、例えば、各端部が固定部材１８から等距離の位置に位置していれば、隣同士の突出部４０は互いに接触可能な位置となる。一方、各端部が固定部材１８から正確に等距離の位置になかったとしても、中空糸膜１２の有効長のばらつきが所定範囲内に収まっていれば、隣同士の突出部４０は互いに接触可能となる。すなわち、図３に示すように、横から見たときに、一の中空糸膜１２に設けられた突出部４０と、その隣に配置された中空糸膜１２に設けられた突出部４０とが重なる部位を有するように２つの突出部４０が配置されていれば、隣同士の突出部４０は互いに接触可能な位置となる。
【００３６】
中空糸膜１２の１本１本の有効長の誤差は、１０％未満であることが好ましく、さらに好ましくは５％未満であり、最も好ましくは、２％以下である。
【００３７】
本実施形態に係る中空糸膜モジュール１０では、中空糸膜１２の外側から内側に向けて処理液を通過させる外圧濾過方式によって運転された場合に、中空糸膜束１４の外周側から内周側に向けて圧力がかかる。このため、中空糸膜１２に突出部４０が設けられていなければ、図４に示すように、ハウジング１６内に充填された中空糸膜１２同士の接触面積が増大することとなる。この場合、特に中空糸膜束１４の内側に位置する中空糸膜１２において、中空糸膜１２同士が接触した部分では通水することが難しくなり、透水性能が低下する傾向にある。これは、純水透水性の評価試験で確認することができる。特に、高い純水透水性能を有する中空糸膜１２の場合には、中空糸膜１２同士の接触部分の抵抗値が相対的に大きくなるために、より顕著にそのような現象が発生する。
【００３８】
そればかりではなく、中空糸膜１２同士の接触部分においては、物理逆洗時に濁質成分が排出されにくく、逆洗後も濁質成分が溜まったままになりやすい。このため、逆洗によって濁質成分を中空糸膜１２から剥離させることができたとしても、中空糸膜１２同士の隙間が十分にない場合には、濁質成分を排出しきれず、徐々に蓄積する現象が発生する。
【００３９】
そこで、中空糸膜１２に突出部４０が設けられることによって、１本１本の中空糸膜１２の間に間隙を持たせることができ、それによって、濁質排出性を改善できるだけでなく、より通水しやすくすることができる。
【００４０】
以上説明したように、本実施形態による中空糸膜モジュール１０では、突出部４０同士が互いに接触することにより、中空糸膜１２同士が接触した状態に維持されてしまうことを抑制することができる。この結果、原水が中空糸膜を外側から内側に向かって透過するときの中空糸膜１２の通水抵抗が上がってしまうことを防止でき、膜有効利用率が低下することを防止することができる。
【００４１】
また本実施形態では、突出部４０が、中空糸膜１２において、封止剤３８によって封止された端部に設けられているので、封止剤３８で中空糸膜１２の一端部を封止するのと同時に突出部４０を形成することが可能となる。
【００４２】
ここで、図２に示す例では、突出部４０が、自由端となっている中空糸膜１２の下端部に設けられているが、これに限られるものではない。例えば、図５に示すように、突出部４０は、中空糸膜１２の一端部に設けられるのではなく、中空糸膜１２の長さ方向の中間部に設けられていてもよい。この場合、突出部４０は、中空糸膜１２の一端部を封止する工程と別の工程で形成されることとなる。この場合でも、各突出部４０は、互いに接触可能な位置に配置されている必要がある。
【００４３】
突出部４０の形状は、特に限定されるものではないが、角のない形状が好ましい。そうすれば、突出部４０が中空糸膜１２に接触するようなことがあったとしても、中空糸膜１２を傷付けることを防止することができる。
【００４４】
例えば、図２に示すように、突出部４０は略球状であってもよい。また、中空糸膜１２の長さ方向に長い長丸状に形成されていてもよい。また、図６に示すように、突出部４０は、湾曲状の外面を有する先端側湾曲部４０ａと、中空糸膜１２の長さ方向に略同幅で延びる筒状部４０ｂと、湾曲状の外面を有する基端側湾曲部４０ｃとを備えた構成であってもよい。また、図７に示すように、突出部４０は、湾曲状の外面を有する先端側湾曲部４０ａと、幅を変化させながら中空糸膜１２の長さ方向に延びる筒状部４０ｂと、湾曲状の外面を有する基端側湾曲部４０ｃとを備えた構成であってもよい。
【００４５】
本実施形態では、中空糸膜１２の下端部がフリーの状態になるように配置された構成としたが、これに限られるものではない。例えば、中空糸膜１２の下端部が固定部材１８に固定される一方で、中空糸膜１２の上端がどこにも固定されないフリーな状態で配置されていてもよい。
【００４６】
図８に示すように、中空糸膜モジュール１０は、浸漬型の中空糸膜モジュール１０として構成されていてもよい。すなわち、中空糸膜モジュール１０は、固定部材１８と、中空糸膜束１４と、ヘッダ４５と、を有し、原水が貯留された原水槽４７の中に浸漬されている。この中空糸膜モジュール１０では、中空糸膜１２の内側が負圧になるように吸引されるように構成されている。この結果として、外側の圧力の方が内側の圧力よりも高くなる。このため、ヘッダ４５内には、原水が中空糸膜１２を外側から内側に透過することによって濾過された濾過水が流入する。ヘッダ４５には、濾過水の送出管３２が接続される。原水槽４７には、バブリング洗浄用の圧縮空気を送る空気配管２６が接続されている。
【実施例】
【００４７】
以下、実施例について説明する。
【００４８】
（実施例１）
伸度１８０％の中空糸膜１２を用いて、図１示すような中空糸膜モジュール１０を作製した。中空糸膜１２の下端部はエポキシ系樹脂で封止されており、中空糸膜１２の上端部は、開口している。そして、中空糸膜１２の有効長は１ｍであり、中空糸膜束１４の外径は２０ｃｍとした。ハウジング１６の内部空間の容積に対する中空糸膜束１４の充填率は３９％であった。中空糸膜１２の外径（ＯＤ）は１．２５ｍｍであり、突出部４０の幅（Ｄｍａｘ）は１．５ｍｍであった。したがって、中空糸膜１２の外径に対する突出部４０の幅の比Ｄｍａｘ／ＯＤは、１．２であった。これによって、中空糸膜１２同士の間に間隙ができることが確認できた。中空糸膜１２の有効長の誤差は、２％であった。
【００４９】
（実施例２）
有効長１．８ｍ、外径１．０ｍｍの中空糸膜１２を用い、幅Ｄｍａｘが２ｍｍになるように、中空糸膜１２に突出部４０を形成した。このときのＤｍａｘ／ＯＤは２．０である。
【００５０】
この中空糸膜１２を用いて、外径２０ｃｍの中空糸膜束１４とし、ハウジング１６内に収納した。中空糸膜束１４の充填率は、４５％であった
（実施例３）
有効長０．３ｍ、外径２．０ｍｍの中空糸膜１２を用い、幅Ｄｍａｘが２．５ｍｍとなるように、中空糸膜１２に突出部４０を形成した。このときのＤｍａｘ／ＯＤは１．２５である。
【００５１】
この中空糸膜１２を用いて、外径２０ｃｍの中空糸膜束１４とし、ハウジング１６内に収納した。中空糸膜束１４の充填率は、２６％であった。
【００５２】
（比較例１）
１．２５ｍｍの幅ＯＤを有する中空糸膜１２に対し、中空糸膜束１４の幅ＯＤが１．２５ｍｍとなるように、中空糸膜１２の端部を封止剤３８で封止した。封止剤３８は、中空糸膜１２の外面から突出していないので、突出部４０は形成されていない。すなわち、Ｄｍａｘ／ＯＤは１．０である。それ以外は、実施例１と同様の構成である。
【００５３】
（比較例２）
比較例２では、比較例１と同様に、１．２５ｍｍの幅ＯＤを有する中空糸膜１２に対し、中空糸膜束１４の幅ＯＤが１．２５ｍｍとなるように、中空糸膜１２の端部を封止剤３８で封止した。封止剤３８は、中空糸膜１２の外面から突出していないので、突出部４０は形成されていない。一方、比較例２では、比較例１と異なり、中空糸膜束１４の充填率が１０％に設定されている。それ以外は、比較例１と同様の構成である。
【００５４】
（比較例３）
Ｄｍａｘ／ＯＤの比が３倍以上になるような中空糸膜束１４を作製することは困難であり、評価できなかった。
【００５５】
（比較例４）
実施例１と同様の構造を有する中空糸膜１２を用いて中空糸膜束１４を作成し、充填率を６５％以上にしようとしたが、そのような中空糸膜モジュール１０を作製することができなかった。
【００５６】
（各パラメータの評価方法）
中空糸膜１２の伸度は、以下のように測定した。まず、測定対象物である中空糸膜１２を５ｃｍとなるように切断した。この切断した中空糸膜１２を、オートグラフ（株式会社島津製作所製のＡＧ−Ｘｐｌｕｓ）を用いて、２５℃の水中で、１００ｍｍ／分の速さで引っ張る引張試験を行った。そして、中空糸膜１２が破断した際の長さを測定した。破断した際の中空糸膜１２の有効長さを、測定対象の元の長さで割ったときの数値の百分率を、伸度（％）と定義した。
【００５７】
中空糸膜１２の外径は、以下のとおりとした。中空糸膜１２をカッターナイフで切断し、切断断面をマイクロスコープ（キーエンス株式会社製  ＶＨＸ−６０００）にて観察し、２０本の中空糸膜１２の平均外径を、中空糸膜１２の外径と定義した。
【００５８】
封止部分の最大外径即ち突出部４０の幅をデジタルノギスを用いて測定した。そして、封止部分の最大の大きさ（突出部４０の最大幅の部分）を３０本測定し、それらの平均値を突出部４０の幅（最大外径）とした。
【００５９】
有効長の誤差は、中空糸膜束１４の全ての中空糸膜１２の有効長を測定した場合の標準偏差を平均値で割った値とした（ＣＶ値と同義）。
【００６０】
（濁質排出性の効果評価方法）
水酸化第二鉄の懸濁液からなり、ＳＳ濃度が３００ｍｇ／Ｌのモデル水を原水として、中空糸膜モジュールを用いて、外圧全濾過方式により流量１５０ＬＭＨ（Ｌ／ｍ２／ｈ）の条件で３０分間、定流量濾過を行った。そして、濾過運転後、中空糸膜モジュールの濾液側から０．２ＭＰａの圧縮空気により逆圧洗浄を実施し、その後、下部からのバブリング洗浄を実施した。バブリング用の空気流量は１７００ＮＬ／ｈとした。濾過運転中に中空糸膜モジュールに供給されたＳＳ供給量に対して、バブリング洗浄によりハウジング１６から排出されたＳＳ排出量の比率により濁質排出性を評価した。
【００６１】
（純水透水性の効果評価方法）
中空糸膜モジュールに純水で、１００ｋＰａの圧力をかけたときに、得られる純水透水量を、純水透水性（ｍ３／ｈ／１００ｋＰａ）とした。
【００６２】
（モジュールの膜有効利用率）
１本の中空糸膜１２で測定した時の透水性能に中空糸膜１２の本数を乗じて得られる値を理論上のモジュール透水性とする一方で、中空糸膜モジュールで実測したときのモジュール透水性を、理論上のモジュール透水性で割って１００をかけて得られる値を、膜有効利用率（％）とした。
【００６３】
【表１】
2020018979.tif 000003
【００６４】
（評価結果）
表１に示すように、実施例１の中空糸膜モジュール１０では、濁質排出性が９８％であった。同様に、実施例２及び３では、濁質排出性がそれぞれ９７％、９９％であった。これに対し、比較例１では、濁質排出性が８５％と低かった。これにより、中空糸膜１２に突出部４０が形成されていないものに比べ、突出部４０が形成されているものでは、濁質排出性が向上することが分かる。すなわち、突出部４０が形成されていることにより、中空糸膜１２同士の接触が抑制されるため、バブリング洗浄によるＳＳ排出性の向上が図られていると推測される。また、膜有効利用率においては、実施例１〜３は、何れも比較例１及び２に比べて高かった。すなわち、突出部４０の存在により、中空糸膜束１４としてのモジュール透水性が、理論上のモジュール透水性から低下し難いことが分かる。すなわち、突出部４０の存在によって、中空糸膜１２同士の接触面積の増大が抑制され、透水性能が低下しないことが分かる。一方、比較例２では、濁質排出性が９８％と高くなっているが、比較例２では、充填率が１０％と低いことから、中空糸膜自体が動きやすくなっていることに起因して濁質排出性が高くなっていると推測される。その一方で、比較例２では、有効利用率が比較例１と同様に、実施例１〜３に対して低くなっている。このことから、充填率が１０％程度でも、中空糸膜同士の接触が生じている可能性があると言える。なお、モジュールの純水透水性は、実施例１〜３に比べ、比較例２において、低くなっている。これは、比較例２では、充填率が低くそもそも膜面積が小さいからである。
【００６５】
なお、本発明は、前記実施形態に限られるものではなく、その趣旨を逸脱しない範囲で種々変更、改良等が可能である。
【符号の説明】
【００６６】
１０  中空糸膜モジュール
１２  中空糸膜
１４  中空糸膜束
１６  ハウジング
１８  固定部材
３８  封止剤
４０  突出部
【図１】
2020018979.tif 000004
【図２】
2020018979.tif 000005
【図３】
2020018979.tif 000006
【図４】
2020018979.tif 000007
【図５】
2020018979.tif 000008
【図６】
2020018979.tif 000009
【図７】
2020018979.tif 000010
【図８】
2020018979.tif 000011